(57)【要約】      （修正有）【課題】長さに多少のばらつきがあっても擁壁用ブロックと背面型枠とを所定の間隔で設置できる、作業性の向上を図ったサポート金具を適用することのできる擁壁構造物を提供する。【解決手段】前側の擁壁用ブロック１と後側の背面型枠２とをサポート金具３にて連結し、この擁壁用ブロック１をサポート金具３にて背面型枠２に引っ張るように保持すると共に、擁壁用ブロック１と背面型枠２との間に胴込めコンクリートを打設し、これらを順次積み上げて構築するようにした擁壁構造物において、サポート金具３を、擁壁用ブロック１の上部と背面型枠２の上部とに上方から取り付け、擁壁用ブロック１及び背面型枠２に対してサポート金具３を取り外し可能にすると共に、このサポート金具３に、サポート金具３における前側の擁壁用ブロック１への取り付け位置と後側の背面型枠２への取り付け位置との前後間隔を変更可能にする寸法調整手段を備える。【選択図】図２
2014152491.tif 000002
【特許請求の範囲】
【請求項１】
前側の擁壁用ブロック１と後側の背面型枠２とをサポート金具３にて連結し、この擁壁用ブロック１をサポート金具３にて背面型枠２に引っ張るように保持すると共に、擁壁用ブロック１と背面型枠２との間に胴込めコンクリート４を打設し、これらを順次積み上げて構築するようにした擁壁構造物において、
擁壁用ブロック１と背面型枠２とを連結するサポート金具３を、擁壁用ブロック１の上部と背面型枠２の上部とに上方から取り付け、擁壁用ブロック１及び背面型枠２に対してサポート金具３を取り外し可能にすると共に、
このサポート金具３に、サポート金具３における前側の擁壁用ブロック１への取り付け位置と後側の背面型枠２への取り付け位置との前後間隔を変更可能にする寸法調整手段を備えたことを特徴とする擁壁構造物。
【請求項２】
前記寸法調整手段としては、前後に向かう棒体２５と、この棒体２５に対して前後移動自在かつ固定可能となる移動固定具４０とからなり、
この移動固定具４０を棒体２５に対して前後移動させて所定の位置で固定することにより、サポート金具３における前側の擁壁用ブロック１への取り付け位置と後側の背面型枠２への取り付け位置との前後間隔を変更できるようにしたことを特徴とする請求項１記載の擁壁構造物。
【請求項３】
前記擁壁用ブロック１にあっては、その上部に上方から開けたボルト穴２０を設け、このボルト穴２０において、擁壁用ブロック１と背面型枠２とを連結するサポート金具３を取り付けるための穴として使用可能にすると共に、擁壁用ブロック１を積み上げたとき、上下の擁壁用ブロック１を連結するための上下連結用ボルト２２を嵌め込むための穴として使用可能にしたことを特徴とする請求項１及び２記載の擁壁構造物。
【発明の詳細な説明】
【技術分野】
【０００１】
本発明は、河川の護岸、道路の法面、鉄道の法面、構造物築造の法面等といった斜面において、その斜面を保護することを目的として構築する擁壁構造物に関する。
【背景技術】
【０００２】
従来、斜面保護を目的として構築する擁壁構造物としては、例えば、特許文献１に示されているように、前側のコンクリート製の擁壁用ブロックと後側の板状の背面型枠とを略Ｌ字形の丸鋼棒状のサポート金具にて連結し、この擁壁用ブロックをサポート金具にて背面型枠に引っ張るように保持すると共に、擁壁用ブロックと背面型枠との間に胴込めコンクリートを打設し、これらを順次積み上げて構築するようにしたものが知られていた。
【０００３】
この擁壁構造物では、前側の擁壁用ブロックと後側の背面型枠との連結を左右２本のサポート金具にて行っており、具体的には、前側の擁壁用ブロックの上部裏側に丸鋼棒状のサポート金具の先端部分を圧入して固着すると共に、後側の背面型枠の表側にサポート金具の折れ曲がった部分を結束具にて固着することにより、前側の擁壁用ブロックと後側の背面型枠とをサポート金具にて連結し、この擁壁用ブロックをサポート金具にて背面型枠に引っ張るように保持していた。
【先行技術文献】
【特許文献】
【０００４】
【特許文献１】特開２００９−１３８４２４号公報
【発明の概要】
【発明が解決しようとする課題】
【０００５】
かかる従来の擁壁構造物にあっては、略Ｌ字形の丸鋼棒状のサポート金具において、その先端部分を前側の擁壁用ブロックの上部裏側に圧入して固着すると共に、折れ曲がった部分を後側の背面型枠の表側に結束具にて固着するようにしていたため、一旦サポート金具を擁壁用ブロック及び背面型枠に固着したら、これを取り外すことができなかった。
【０００６】
このため、擁壁用ブロックと背面型枠とを連結するサポート金具については、その長さが非常に重要であった。これは、このサポート金具の長さによって、前側の擁壁用ブロックと後側の背面型枠との前後間隔が決定してしまうため、すべてのサポート金具の長さを決められた同一の寸法にしておかないと前側の擁壁用ブロックと後側の背面型枠との前後間隔においてばらつきが生じてしまう。また、擁壁用ブロックへのサポート金具の圧入も所定の長さで圧入しなければ、前側の擁壁用ブロックと後側の背面型枠との前後間隔がばらついてしまうため、サポート金具の擁壁用ブロックへの圧入作業も容易なものではなかった。
【０００７】
しかも、このサポート金具については、擁壁用ブロック及び背面型枠に固着したら、取り外すことができないため、擁壁用ブロックと背面型枠との間に胴込めコンクリートを打設すると、その内部にサポート金具が埋まってしまうことから、膨大な数のサポート金具が必要となり、そのための工費がかさんでしまうといったことがあった。
【０００８】
そこで、本発明は、これらの点に鑑み、多数使用するサポート金具において、その長さに多少のばらつきがあっても、前側の擁壁用ブロックと後側の背面型枠とを予め決められた所定の間隔で設置することができ、その作業を極めて容易なものにして作業性の向上を図ると共に、使用するサポート金具の数を大幅に減らして工費を安価にすることのできる擁壁構造物を提供することを、その課題とする。
【課題を解決するための手段】
【０００９】
第一の発明は、前側の擁壁用ブロックと後側の背面型枠とをサポート金具にて連結し、この擁壁用ブロックをサポート金具にて背面型枠に引っ張るように保持すると共に、擁壁用ブロックと背面型枠との間に胴込めコンクリートを打設し、これらを順次積み上げて構築するようにした擁壁構造物において、擁壁用ブロックと背面型枠とを連結するサポート金具を、擁壁用ブロックの上部と背面型枠の上部とに上方から取り付け、擁壁用ブロック及び背面型枠に対してサポート金具を取り外し可能にすると共に、このサポート金具に、サポート金具における前側の擁壁用ブロックへの取り付け位置と後側の背面型枠への取り付け位置との前後間隔を変更可能にする寸法調整手段を備えた擁壁構造物である。
【００１０】
第二の発明は、第一の発明において、寸法調整手段としては、前後に向かう棒体と、この棒体に対して前後移動自在かつ固定可能となる移動固定具とからなり、この移動固定具を棒体に対して前後移動させて所定の位置で固定することにより、サポート金具における前側の擁壁用ブロックへの取り付け位置と後側の背面型枠への取り付け位置との前後間隔を変更できるようにした擁壁構造物である。
【００１１】
第三の発明は、第一又は第二の発明において、擁壁用ブロックにあっては、その上部に上方から開けたボルト穴を設け、このボルト穴において、擁壁用ブロックと背面型枠とを連結するサポート金具を取り付けるための穴として使用可能にすると共に、擁壁用ブロックを積み上げたとき、上下の擁壁用ブロックを連結するための上下連結用ボルトを嵌め込むための穴として使用可能にした擁壁構造物である。
【発明の効果】
【００１２】
本発明によれば、前側の擁壁用ブロックと後側の背面型枠とを連結するサポート金具において寸法調整手段を備えたことにより、サポート金具における前側の擁壁用ブロックへの取り付け位置と後側の背面型枠への取り付け位置との前後間隔を寸法調整手段により変更することができ、前側の擁壁用ブロックと後側の背面型枠との前後間隔を常に所定の間隔にすることができる。これにより、多数使用するサポート金具において、その長さに多少のばらつきがあっても、前側の擁壁用ブロックと後側の背面型枠とを予め決められた所定の間隔で設置することができ、その作業を極めて容易なものにして作業性の向上を図ると共に工期の短縮も図ることができる。
【００１３】
また、本発明によれば、サポート金具を擁壁用ブロック及び背面型枠に対してサポート金具を取り外し可能にしたことにより、取り外したサポート金具を別の箇所に取り付けて再度使用することができ、膨大な数のサポート金具を使用する必要が無くなり、これにより、使用するサポート金具の数を大幅に減らすことができ、工費を安価にすることができる。
【００１４】
さらに、本発明によれば、擁壁用ブロックに設けたボルト穴を、擁壁用ブロックと背面型枠とを連結するサポート金具を取り付けるための穴として使用可能にすると共に、擁壁用ブロックを積み上げたとき、上下の擁壁用ブロックを連結するための上下連結用ボルトを嵌め込むための穴として使用可能にしたことにより、このボルト穴において、上下の擁壁用ブロックを連結するための上下連結用ボルトを嵌め込むための穴の役目とサポート金具を取り付けるための穴の役目を兼用させることができ、これにより、擁壁用ブロックへの作業として、兼用する一つの穴を設けるだけで良く、穴を別々に設ける必要が無くなることから、作業の工程を減らして作業性の向上を図ることができる。
【図面の簡単な説明】
【００１５】
【図１】擁壁構造物の側面図である。
【図２】擁壁構造物の斜視図である。
【図３】擁壁構造物の擁壁用ブロックの正面図である。
【図４】擁壁構造物の擁壁用ブロックの上面図である。
【図５】擁壁構造物の擁壁用ブロックの側面図である。
【図６】擁壁構造物の擁壁用ブロックの斜視図である。
【図７】擁壁構造物の別の擁壁用ブロックの側面図である。
【図８】擁壁構造物の別の擁壁用ブロックの斜視図である。
【図９】擁壁構造物の別の擁壁用ブロックの斜視図である。
【図１０】（ａ）擁壁用ブロックに設けたボルト穴の使用状態を示す説明図である。（ｂ）擁壁用ブロックに設けたボルト穴の使用状態を示す説明図である。
【図１１】擁壁構造物のサポート金具の側面図である。
【図１２】図１１におけるＡ−Ａ拡大断面図である。
【図１３】擁壁構造物のサポート金具のセット用ブラケットの説明図である。
【図１４】擁壁構造物の別のサポート金具の側面図である。
【図１５】擁壁構造物の別のサポート金具の側面図である。
【図１６】擁壁構造物の別のサポート金具の背面図である。
【図１７】擁壁構造物の別のサポート金具の側面図である。
【図１８】擁壁構造物の別のサポート金具の斜視図である。
【図１９】（ａ）擁壁構造物の構築手順を示す説明図である。（ｂ）擁壁構造物の構築手順を示す説明図である。（ｃ）擁壁構造物の構築手順を示す説明図である。
【図２０】（ｄ）擁壁構造物の構築手順を示す説明図である。（ｅ）擁壁構造物の構築手順を示す説明図である。
【図２１】（ｆ）擁壁構造物の構築手順を示す説明図である。（ｇ）擁壁構造物の構築手順を示す説明図である。（ｈ）擁壁構造物の構築手順を示す説明図である。
【図２２】（ａ）上下の背面型枠を連結する型枠継ぎ足し具の側面図である。（ｂ）型枠継ぎ足し具の斜視図である。
【図２３】（ｉ）擁壁構造物の構築手順を示す説明図である。（ｊ）擁壁構造物の構築手順を示す説明図である。
【図２４】（ｋ）擁壁構造物の構築手順を示す説明図である。（ｌ）擁壁構造物の構築手順を示す説明図である。
【発明を実施するための形態】
【００１６】
本発明による擁壁構造物の一実施形態について説明する。
擁壁構造物としては、図１、図２に示すように、前側の擁壁用ブロック１と後側の背面型枠２とをサポート金具３にて連結し、この擁壁用ブロック１をサポート金具３にて背面型枠２に引っ張るように保持してなるものであって、この擁壁用ブロック１と背面型枠２との間に胴込めコンクリート４を打設し、これらを順次積み上げて構築するようにしている。
【００１７】
図３、図４、図５、図６に示すように、擁壁用ブロック１は、鉄筋を埋設したコンクリート製であって、前面形状が横長の四角形となって上部を後方に向かって傾斜した壁面部１１を備え、この壁面部１１の表面を細かな凹凸状にしている。この壁面部１１の大きさは高さが約１００ｃｍで左右長さが約２００ｃｍであるが、大きさはこれに限定されるものではない。この壁面部１１の左右中央下部には水抜き用の穴１２を設ける。また、壁面部１１の裏面には、擁壁用ブロック１を積み上げたとき、上下の擁壁用ブロック１を連結する連結プレート１９を取り付けるためのボルト穴１３を上端と下端それぞれに設ける。
【００１８】
そして、この壁面部１１の裏側の左右方向に離間した位置それぞれに上端が略水平となって後方に突出する上側控脚部１４と下端が略水平となって後方に突出する下側控脚部１５とを備える。なお、壁面部１１の裏側に備えた上側控脚部１４と下側控脚部１５では、上下方向において離間した形状のものにするが、これを、図７、図８に示すように、中間控脚部１６を設け、上側控脚部１４と下側控脚部１５を中間控脚部１６を介して一体にした形状のものにしても良い。また、この上側控脚部１４と下側控脚部１５では、壁面部１１の裏側の左右方向に離間した位置それぞれに備えるが、これを、図９に示すように、左右方向の中央の一ヶ所のみに備えても良く、あるいは左右の一方の一ヶ所のみに備えても良い。
【００１９】
この上側控脚部１４と下側控脚部１５にあっては、上側控脚部１４の上端に上方に突出する凸部１７を設けると共に、下側控脚部１５の下端に上方に窪む凹部１８を設け、擁壁用ブロック１を積み上げたとき、下側の擁壁用ブロック１の上側控脚部１４の凸部１７が上側の擁壁用ブロック１の下側控脚部１５の凹部１８に嵌合するようになる。
【００２０】
また、上側控脚部１４の上部に上方から開けたボルト穴２０を設けると共に、下側控脚部１５に上下に貫通する貫通穴２１を設け、図１０（ａ）に示すように、擁壁用ブロック１を積み上げたとき、上側の擁壁用ブロック１の下側控脚部１５に設けた貫通穴２１に上方から上下連結用ボルト２２を挿入し、下側の擁壁用ブロック１の上側控脚部１４に設けたボルト穴２０に上下連結用ボルト２２を嵌め込むことで、上下の擁壁用ブロック１を上下連結用ボルト２２によって連結するようになる。
【００２１】
この上側控脚部１４に設けたボルト穴２０にあっては、上述したような上下の擁壁用ブロック１を連結するための上下連結用ボルト２２を嵌め込むための穴として使用可能にすると共に、図１０（ｂ）に示すように、さらにサポート金具３を取り付けるための穴として使用可能にし、要するに、このボルト穴２０において、上下の擁壁用ブロック１を連結するための上下連結用ボルト２２を嵌め込むための穴の役目とサポート金具３を取り付けるための穴の役目を兼用させることができる。
【００２２】
背面型枠２は、擁壁用ブロック１の壁面部１１の左右方向で略半分にした大きさの板であって、２枚１組で使用する。１枚の背面型枠２の大きさは、例えば、高さが約１００ｃｍ、左右長さが約１００ｃｍで、厚さが約１２ｍｍである。ただし、これに限定されるものではない。図示していないが、この背面型枠２の左右の接する辺には半円形状の切り込みを形成し、２枚１組で使用したとき、この半円形状の切り込みが合わさって円形の穴となり、ここを水抜き用の穴として使用できる。
【００２３】
サポート金具３は、前側の擁壁用ブロック１と後側の背面型枠２とを連結するためのもので、全長が５０ｃｍから３００ｃｍ程度であって、擁壁用ブロック１の上部と背面型枠２の上部とに上方から取り付けると共に、擁壁用ブロック１及び背面型枠２に対して取り外し可能にする。また、このサポート金具３にあっては、サポート金具３における前側の擁壁用ブロック１への取り付け位置と後側の背面型枠２への取り付け位置との前後間隔を変更可能にする寸法調整手段を備える。
【００２４】
このサポート金具３について説明すると、図１１、図１２に示すように、まず、前後に向かう棒体２５を備え、この棒体２５が寸切りボルト（長ネジ）であって、その後部に後側の背面型枠２の上部に取り付く後部取り付け部２６を設けると共に、前部に前側の擁壁用ブロック１の上側控脚部１４の上部に取り付く前部取り付け部２７を設ける。
【００２５】
後部取り付け部２６は、棒体２５に軸着した取り付け用ブラケット３１の下端側に下向きの溝部３２を形成しつつここに蝶ボルト３３を設け、この取り付け用ブラケット３１の溝部３２に型枠セット具３４を付けた背面型枠２の上部を入れてから蝶ボルト３３にて締めることにより、背面型枠２の上部に取り付く。なお、型枠セット具３４は、図１３に示すように、左右に細長となる断面下向き略コ字形の鋼板で、背面型枠２の上部に上方より付くようになる。
【００２６】
一方、前部取り付け部２７は、寸切りボルトである棒体２５を入れることのできるＵ字形の切り込みを上部に形成した縦板３５とその下に固着する横板３６とからなる取り付け用ブラケット３７を備え、取り付け用ブラケット３７の縦板３５のＵ字形の切り込みに棒体２５を入れてから前後二つのナット３８にて縦板３５を棒体２５に固定しつつ、横板３６の先端側にボルト３９を設け、このボルト３９を擁壁用ブロック１の上側控脚部１４に設けたボルト穴２０に嵌め込むことにより、擁壁用ブロック１の上側控脚部１４に取り付く。また、この前部取り付け部２７には寸法調整手段を備える。
【００２７】
この寸法調整手段は、前後に向かう棒体２５と、この棒体２５に対して前後移動自在かつ固定可能となる移動固定具４０とからなり、移動固定具４０としては、前後に向かう棒体２５を入れることのできるＵ字形の切り込みを上部に形成した取り付け用ブラケット３８の縦板３５とこれを前後から締め付ける前後二つのナット３８である。この移動固定具４０において、取り付け用ブラケット３７の縦板３５の上部に形成したＵ字形の切り込みに棒体２５を入れて、棒体２５に対して前後移動して所定の位置にしたのち、前後のナット３８で取り付け用ブラケット３７の上部を棒体２５に固定することにより、サポート金具３における前側の擁壁用ブロック１への取り付け位置と後側の背面型枠２への取り付け位置との前後間隔を変更することができ、これにより、前側の擁壁用ブロック１と後側の背面型枠２との前後間隔を予め決められた所定の間隔にする。
【００２８】
次に、サポート金具の別の例について説明する。
図１４に示すように、前後に向かう棒体２５が丸鋼棒であって、その途中にターンバックル４１を設ける。そして、棒体２５の後部に後部取り付け部２６を設けると共に、前部に前部取り付け部２７を設け、後部取り付け部２６は、上述したものと同様、棒体２５に軸着した取り付け用ブラケット４２の下端側に下向きの溝部４３を形成しつつここに蝶ボルト４４を設け、この取り付け用ブラケット４２の溝部４３に型枠セット具３４を付けた背面型枠２の上部を入れてから蝶ボルト４４にて締めることにより、背面型枠２の上部に取り付く。
【００２９】
一方、前部取り付け部２７は、丸鋼棒である棒体２５を貫入する蝶ボルト４５を取り付けた円筒体４６を上部に設けてこの円筒体４６の下に取り付く縦板４７とその下に固着する横板４８とからなる取り付け用ブラケット４９を備え、取り付け用ブラケット４９の円筒体４６に棒体２５を貫入してから蝶ボルト４５にて棒体２５に固定しつつ、横板４８の先端側にボルト３９を設け、このボルト３９を擁壁用ブロック１の上側控脚部１４に設けたボルト穴２０に嵌め込むことにより、擁壁用ブロック１の上側控脚部１４に取り付く。また、この前部取り付け部２７には寸法調整手段を備える。
【００３０】
この寸法調整手段は、前後に向かう棒体２５と、この棒体２５に対して前後移動自在かつ固定可能となる移動固定具４０とからなり、移動固定具４０としては、取り付け用ブラケット４９の上部に設けた棒体２５を貫入する円筒体４６とこの円筒体４６に付けた蝶ボルト４５である。この移動固定具４０において、取り付け用ブラケット４９の上部に設けた円筒体４６に棒体２５を貫入して、棒体２５に対して前後移動して所定の位置にしたのち、蝶ボルト４５にて棒体２５に固定することにより、サポート金具３における前側の擁壁用ブロック１への取り付け位置と後側の背面型枠２への取り付け位置との前後間隔を変更することができ、これにより、前側の擁壁用ブロック１と後側の背面型枠２との前後間隔を予め決められた所定の間隔にする。また、棒体２５の途中に設けたターンバックル４１によっても、前後間隔を微調整できるようにする。
【００３１】
さらに、サポート金具３の別の例としては、図１５、図１６に示すように、前後に向かう棒体２５がパイプ棒であって、その後部に後部取り付け部２６を設けると共に、前部に前部取り付け部２７を設ける。後部取り付け部２６は、上部にパイプ棒である棒体２５を挟持するパイプクランプ５０を設け、このパイプクランプ５０の下に縦板５１と溝部５２と蝶ボルト５３とからなる取り付け用ブラケット５４を固着し、この取り付け用ブラケット５４の溝部５２に背面型枠２の上部をそこに付けた型枠セット具３４ごと入れてから蝶ボルト５３にて締めることにより、背面型枠２の上部に取り付く。一方、前部取り付け部２７も上部にパイプ棒である棒体２５を挟持するパイプクランプ５５を設け、このパイプクランプ５５の下に縦板５６と横板５７とからなる取り付け用ブラケット５８を固着し、横板５７の先端側にボルト３９を設け、このボルト３９を擁壁用ブロック１の上側控脚部１４に設けたボルト穴２０に嵌め込むことにより、擁壁用ブロック１の上側控脚部１４に取り付く。また、この後部取り付け部２６と前部取り付け部２７の両方には寸法調整手段を備える。
【００３２】
この寸法調整手段は、前後に向かう棒体２５と、この棒体２５に対して前後移動自在かつ固定可能となる移動固定具４０とからなり、移動固定具４０としては、パイプクランプ５０，５５である。この移動固定具４０において、パイプ棒である棒体２５を挿入したのち、パイプクランプ５０，５５にて棒体２５を挟持して固定することにより、サポート金具３における前側の擁壁用ブロック１への取り付け位置と後側の背面型枠２への取り付け位置との前後間隔を変更することができ、これにより、前側の擁壁用ブロック１と後側の背面型枠２との前後間隔を予め決められた所定の間隔にする。
【００３３】
また、サポート金具３の別の例としては、図１７、図１８に示すように、前後に向かう棒体２５が大小２本の四角筒鋼棒であって、その後部に後部取り付け部２６を設けると共に、前部に前部取り付け部２７を設ける。後部取り付け部２６は、棒体２５における小さい方の棒体２５ｂの後端に略く字形の縦板６１を固着し、この縦板６１の下部に、左右に細長となる断面下向き略コ字形の型枠セット具６２を固着し、この型枠セット具６２を介して背面型枠２の上部に取り付く。一方、前部取り付け部２７は、棒体２５における大きい方の棒体２５ａの前端に横板６３を固着し、横板６３の先端側にボルト３９を設け、このボルト３９を擁壁用ブロック１の上側控脚部１４に設けたボルト穴２０に嵌め込むことにより、擁壁用ブロック１の上側控脚部１４に取り付く。
【００３４】
そして、このサポート金具３には寸法調整手段を備えており、この寸法調整手段は、大きい方の棒体２５ａの内部に小さい方の棒体２５ｂを摺動自在としつつ、この摺動を固定する蝶ボルト６４を設けた構成にし、この大小２本の棒体２５ａ，２５ｂにおいて伸縮させて所定の長さで蝶ボルト６４によって固定することにより、サポート金具３における前側の擁壁用ブロック１への取り付け位置と後側の背面型枠２への取り付け位置との前後間隔を変更することができ、これにより、前側の擁壁用ブロック１と後側の背面型枠２との前後間隔を予め決められた所定の間隔にする。
【００３５】
次に、前述した擁壁構造物の構築手順について説明する。
まず、図１９（ａ）に示すように、所定の位置に基礎材７１及び基礎コンクリート７２からなる基礎部７０を設置する。この基礎部７０の基礎コンクリート７２には前後及び左右に複数の差し筋７３を設けると共に、背面型枠固定用の差し筋７４を左右に複数設ける。
【００３６】
図１９（ｂ）に示すように、クレーン等を用いて擁壁用ブロック１を基礎コンクリート７２の前側に据え付ける。図１９（ｃ）に示すように、基礎コンクリート７２の後側にサポート金具３を取り付けた背面型枠２を基礎コンクリート７２に設けた背面型枠固定用の差し筋７４に引っ掛けるようにして設置する。
【００３７】
そして、図２０（ｄ），（ｅ）に示すように、サポート金具３の前側を擁壁用ブロック１の上部に上方から取り付ける。これは、上側控脚部１４に設けたボルト穴２０に、サポート金具３の前部取り付け部２７に設けたボルト３９を嵌め込むことで取り付けるようにしており、このとき、サポート金具３に備えた寸法調整手段にて前側の擁壁用ブロック１への取り付け位置と後側の背面型枠２への取り付け位置との前後間隔を変更し、具体的にはサポート金具３の前後に向かう棒体２５を前後移動させて所定の位置で移動固定具４０にて固定することにより、前側の擁壁用ブロック１への取り付け位置と後側の背面型枠２への取り付け位置との前後間隔を調整し、予め決められた所定の間隔にする。
【００３８】
それから、図２１（ｆ）に示すように、後側の背面型枠２の裏に良質土７５又は裏込め材で埋め戻しを行って、背面型枠２を裏側から保持する。
【００３９】
次に、図２１（ｇ）に示すように、前側の擁壁用ブロック１の前側に保持具７６を取り付けて、擁壁用ブロック１を前側から保持しつつ、前側の擁壁用ブロック１と後側の背面型枠２との間に胴込めコンクリート４を打設する。このときの胴込めコンクリート４は擁壁用ブロック１及び背面型枠２の高さの三分の二程度の高さまでであって、硬化する前に複数の差し筋７３を前後及び左右に設ける。
【００４０】
そして、擁壁用ブロック１の上部と背面型枠２の上部とに取り付けサポート金具３を取り外した後、図２１（ｈ）に示すように、擁壁用ブロック１の上に２段目となる擁壁用ブロック１を据え付けるように積み上げる。それから、上下の擁壁用ブロック１の裏面において連結プレート１９にて上下を連結すると共に、上段の擁壁用ブロック１の下側控脚部１５に設けた貫通穴２１に上方から上下連結用ボルト２２を挿入し、下側の擁壁用ブロック１の上側控脚部１４に設けたボルト穴２０に上下連結用ボルト２２を嵌め込むことで、上下の擁壁用ブロック１を上下連結用ボルト２２にて連結する。
【００４１】
なお、背面型枠２の上部には上段の背面型枠２と連結するための型枠継ぎ足し具７７を取り付ける。この型枠継ぎ足し具７７としては、図２２（ａ），（ｂ）に示すように、上下に溝がそれぞれ形成された側面形状が略Ｈ形の金具であって、下方の溝に下段の背面型枠２の上部を嵌め込み、上方の溝に上段の背面型枠２の下部を嵌め込むことで、上段と下段の背面型枠２を連結するようになる。
【００４２】
次に、図２３（ｉ）に示すように、先程と同様、サポート金具３を取り付けた背面型枠２を設置する。このとき、上下の背面型枠２については型枠継ぎ足し具７７にて連結する。また、サポート金具３の前側を擁壁用ブロック１の上部に上方から取り付け、そして、サポート金具３に備えた寸法調整手段にて前側の擁壁用ブロック１への取り付け位置と後側の背面型枠２への取り付け位置との前後間隔を変更して前後間隔を調整する。なお、必要に応じて、後側の背面型枠２に設けた水抜き用の穴から前側の擁壁用ブロック１に設けた水抜き用の穴１２にわたって水抜き用パイプ７８を設置することができる。
【００４３】
そして、図２３（ｊ）に示すように、背面型枠２の裏に裏込め材７９を設置した後、前側の擁壁用ブロック１と後側の背面型枠２との間に胴込めコンクリート４を二回に分けて打設する。これは、例えば、一回の胴込めコンクリート４の打設を擁壁用ブロック１の高さ寸法の略半分である約５０ｃｍ以下にする。この二回に分けて胴込めコンクリート４を打設することにより、胴込めコンクリート４が硬化する際に生じる力によって前側の擁壁用ブロック１が前方に動いてしまうといったことを防ぐことができる。
【００４４】
これを、図２４（ｋ）に示すように、上段に向かって繰り返し行って積み上げて行く。そして、所定の段数積み上げた後、図２４（ｌ）に示すように、最後に、天端コンクリート８０を打設することによって、擁壁構造物の構築作業が完了する。
【符号の説明】
【００４５】
１…擁壁用ブロック、２…背面型枠、３…サポート金具、４…胴込めコンクリート、１１…壁面部、１２…穴、１３…ボルト穴、１４…上側控脚部、１５…下側控脚部、１６…中間控脚部、１７…凸部、１８…凹部、１９…連結プレート、２０…ボルト穴、２１…貫通穴、２２…上下連結用ボルト、２５…棒体、２５ａ…棒体、２５ｂ…棒体、２６…後部取り付け部、２７…前部取り付け部、３１…取り付け用ブラケット、３２…溝部、３３…蝶ボルト、３４…型枠セット具、３５…縦板、３６…横板、３７…取り付け用ブラケット、３８…ナット、３９…ボルト、４０…移動固定具、４１…ターンバックル、４２…取り付け用ブラケット、４３…溝部、４４…蝶ボルト、４５…蝶ボルト、４６…円筒体、４７…縦板、４８…横板、４９…取り付け用ブラケット、５０…パイプクランプ、５１…縦板、５２…溝部、５３…蝶ボルト、５４…取り付け用ブラケット、５５…パイプクランプ、５６…縦板、５７…横板、５８…取り付け用ブラケット、６１…縦板、６２…型枠セット具、６３…横板、６４…蝶ボルト、７０…基礎部、７１…基礎材、７２…基礎コンクリート、７３…差し筋、７４…差し筋、７５…良質土、７６…保持具、７７…型枠継ぎ足し具、７８…水抜き用パイプ、７９…裏込め材、８０…天端コンクリート
【図１】
2014152491.tif 000003
【図２】
2014152491.tif 000004
【図３】
2014152491.tif 000005
【図４】
2014152491.tif 000006
【図５】
2014152491.tif 000007
【図６】
2014152491.tif 000008
【図７】
2014152491.tif 000009
【図８】
2014152491.tif 000010
【図９】
2014152491.tif 000011
【図１０】
2014152491.tif 000012
【図１１】
2014152491.tif 000013
【図１２】
2014152491.tif 000014
【図１３】
2014152491.tif 000015
【図１４】
2014152491.tif 000016
【図１５】
2014152491.tif 000017
【図１６】
2014152491.tif 000018
【図１７】
2014152491.tif 000019
【図１８】
2014152491.tif 000020
【図１９】
2014152491.tif 000021
【図２０】
2014152491.tif 000022
【図２１】
2014152491.tif 000023
【図２２】
2014152491.tif 000024
【図２３】
2014152491.tif 000025
【図２４】
2014152491.tif 000026